(57)【要約】【課題】睡眠時無呼吸症候群の診断のために複数台が同時に使用されるセンサにおいて、装着性の良好な物理的配線を伴わずに独立に動作することが可能なセンサを用いても、各センサのセンシングデータ間の同期を確保して、正確な診断が行えるようにする。【解決手段】鼻呼吸量を計測する温度センサＳ１、口呼吸量を計測する温度センサＳ２、いびき音を計測する小型音響センサＳ３は、電池およびデータの記憶部を内蔵している記録装置Ｓ１０に接続される。一方、血中酸素濃度を計測する光センサＳ４、胸部運動を計測する加速度センサＳ５および腹部運動を計測する加速度センサＳ６は、それぞれが電池およびデータの記憶部を内蔵している。前記記録装置Ｓ１０およびセンサＳ４〜Ｓ６に対して、患者に貸与する前に、親機Ｓ０によって時計合せを行い、収集されたデータは、親機Ｓ０を介して集計装置Ｐに吸い上げられ、同時刻でのデータの比較が可能になる。【選択図】図１
2006320731.tif 000002
【特許請求の範囲】
【請求項１】
睡眠時無呼吸症候群の診断のために複数台が同時に使用される睡眠時無呼吸検査用センサにおいて、
センシング部と、
時計部と、
記憶部と、
前記時計部の刻時動作に応答し、予め定める周期で前記センシング部にセンシングを行わせて、最初のセンシングデータを前記時計部の時刻データに対応付けて前記記憶部に格納し、その後の前記センシング部のセンシングデータを前記記憶部に格納してゆくとともに、外部入出力端から入出力される同期信号に応答して、前記時計部の時刻合せを行う制御部とを含むことを特徴とする睡眠時無呼吸検査用センサ。
【請求項２】
口鼻フローセンサ、いびき音センサ、血中酸素濃度センサ、胸部運動センサおよび腹部運動センサの少なくとも２つ以上の組合わせから成ることを特徴とする請求項１に記載の睡眠時無呼吸検査用センサ。
【請求項３】
前記請求項１または請求項２に記載の睡眠時無呼吸検査用センサに、一式の該睡眠時無呼吸検査用センサを収納することができる収納部を有し、収納状態で前記各センサのセンシングデータを収集するとともに、前記同期信号を出力する親機を備えて成ることを特徴とする睡眠時無呼吸検査装置。
【発明の詳細な説明】
【技術分野】
【０００１】
本発明は、睡眠時無呼吸症候群（ＳＡＳ：Sleep apnea syndrome）の診断のために使用されるセンサおよびそれを備えて成る睡眠時無呼吸検査装置に関する。
【背景技術】
【０００２】
前記睡眠時無呼吸症候群は、睡眠障害のひとつと考えられており、その検査には、睡眠ポリグラフィーとスクリーニング検査装置との２種類がある。前記スクリーニング検査装置では、睡眠ポリグラフィーで用いられる多数の生体計測センサのうちのいくつか、たとえばいびき音センサ、口鼻気流センサ、動脈血酸素飽和度センサ、胸部運動センサおよび腹部運動センサなどが用いられ、これらのセンサから得られた各センシングデータの変化率やデータ間の相関性などの特徴を分析して、診断が行われる。
【０００３】
このように複数のセンサで計測することによって、単独のセンサのセンシング結果よりも診断精度が向上することが期待できる。前記スクリーニング検査では、これらのセンサが医療機関から患者へ貸与され、患者は、自宅で装着して、一晩の睡眠中のデータを採取し、後日に医療機関に持参して、専門家に分析・診断を仰ぐことが一般的である。
【０００４】
一方、各センサのセンシングデータは、それらのセンサが繋がっているデータ記録装置に送信される。特許文献１には、前記データ記録装置を患者の腰部に装着し、そのデータ記録装置側に信号処理の回路などを内蔵することで、センサ部分をコンパクトにし、前記自宅でのデータの採取を可能にする装置が提案されている。
【特許文献１】特開平５−２０００３１号公報
【発明の開示】
【発明が解決しようとする課題】
【０００５】
しかしながら、上記従来技術では、多数のセンサは、配線によってデータ記録装置に接続されている。したがって、センサ数が増加する程、配線は、複雑に絡みあうことになり、装着性が悪いだけでなく、結線忘れや誤結線などにより正確な計測ができない可能性がある。また、睡眠中の姿勢が変化すると、それら複雑な配線のために、センサが身体から外れたり、データ記録装置から配線が抜け落ちたりする可能性もあり、データ記録が不安定になる恐れがある。睡眠中は、線が抜ける、などの不具合に気付かないので、配線の引き回しには配慮が必要である。配線が外れないように姿勢を拘束すると、日常の睡眠を妨げる恐れがある。このような問題は、医療機関での睡眠検査では、検査担当者が待機しているために心配する必要がなかったが、在宅検査においては、患者自身が計測装置に熟練していないために、自らのミスに気付かず、得られた計測データの信頼性が低い場合にはさらにもう一晩計測をし直す、という手間がかかることになる。
【０００６】
そこで、センサの小型化によってセンサに送信機を搭載し、データ記録装置へのデータの送信を無線化することで配線を除去することも考えられる。しかしながら、患者宅の寝室に障害物があったり、また患者の姿勢変化が大きかったりすると、データ記録装置は、安定した受信を行えず、これによってもまたデータ記録が不安定になる恐れがある。たとえば、呼吸が検出されない場合、本当に呼吸していないのか、単に受信できなかったのかの区別がつかず、診断に影響が生じる。通信品質を向上するために送信電力を大きくすると、電池が大きくなってセンサが重くなり、身体に貼付けたセンサが外れ易くなる。
【０００７】
一方、各センサでデータを記録し、後に取出すようにすると、配線がなくなって各センサは、物理的に独立することになり、煩雑性は、改善される。しかしながら、各センサ間の時間的関係がばらばらになり、各センサのデータ間の相関性を見ることができず、正確な診断を行えなくなってしまうという問題もある。具体的には、睡眠時無呼吸症候群の診断では、１０秒以上の無呼吸の発生頻度をカウントするので、複数の計測データより総合的に診断を行う無呼吸検査においては、各センサ間での１０秒程度の誤差は、致命的な影響を与える。特に、胸部運動センサと腹部運動センサとが一緒に上下していれば正常に呼吸が行われているものと判断でき、相互に逆相で上下していれば、無呼吸で空気が入って来ていないのに横隔膜は、動いているものと判断でき、したがって、たとえば１２（回／分）の呼吸数で、１周期が５秒とすると、データ間で２．５秒のずれがあると、診断が逆転してしまうことになる。
【０００８】
本発明の目的は、装着性の良好な物理的配線を伴わずに独立に動作することが可能なセンサを用い、各センサのセンシングデータ間の同期を確保して、正確な診断を行うことができる睡眠時無呼吸検査用センサおよび睡眠時無呼吸検査装置を提供することである。
【課題を解決するための手段】
【０００９】
本発明の睡眠時無呼吸検査用センサは、睡眠時無呼吸症候群の診断のために複数台が同時に使用される睡眠時無呼吸検査用センサにおいて、センシング部と、時計部と、記憶部と、前記時計部の刻時動作に応答し、予め定める周期で前記センシング部にセンシングを行わせて、最初のセンシングデータを前記時計部の時刻データに対応付けて前記記憶部に格納し、その後の前記センシング部のセンシングデータを前記記憶部に格納してゆくとともに、外部入出力端から入出力される同期信号に応答して、前記時計部の時刻合せを行う制御部とを含むことを特徴とする。
【００１０】
上記の構成によれば、睡眠時無呼吸症候群の診断のために複数台が同時に使用されるセンサにおいて、各センサは、センシング部に、そのセンシングデータを格納する記憶部を備え、物理的配線を伴わずに独立に動作することが可能なセンサから構成される。
【００１１】
診断にあたって必要になる各センサのセンシングデータ間の同期は、制御部が、時計部の刻時動作に応答し、予め定める周期でセンシング部にセンシングを行わせて、最初のセンシングデータを時計部の時刻データに対応付けて記憶部に格納し、その後のセンシング部のセンシングデータを記憶部に格納してゆくようにし、そして、その時計部の時刻を、制御部が、外部入出力端から入出力される同期信号に応答して合せることで確保する。この時刻合せは、外部に設けた親機からの同期信号を外部入力端から制御部に入力することで行われてもよく、或いは、他のセンサを接続し、一方のセンサの外部出力端から他方のセンサの外部入力端へ同期信号を出力することで、センサ間で行われてもよい。
【００１２】
したがって、装着性の良好な物理的配線を伴わずに独立に動作することが可能なセンサを用い、各センサのセンシングデータ間の同期を確保して、正確な診断を行うことができる。
【００１３】
また、本発明の睡眠時無呼吸検査用センサは、口鼻フローセンサ、いびき音センサ、血中酸素濃度センサ、胸部運動センサおよび腹部運動センサの少なくとも２つ以上の組合わせから成ることを特徴とする。
【００１４】
上記の構成によれば、口鼻フローセンサおよびいびき音センサは、顔面近くに装着されるので、長い配線が無いことで良好な装着感を得ることができ、胸部運動センサおよび腹部運動センサは、姿勢の変化に対しても、前記配線が無いことで身体から剥がれ難く、前記配線を無くすことの効果が大きい。
【００１５】
さらにまた、本発明の睡眠時無呼吸検査装置は、前記の睡眠時無呼吸検査用センサに、一式の該睡眠時無呼吸検査用センサを収納することができる収納部を有し、収納状態で前記各センサのセンシングデータを収集するとともに、前記同期信号を出力する親機を備えて成ることを特徴とする。
【００１６】
上記の構成によれば、パーソナルコンピュータなどのセンシングデータを解析する手段を親機に接続するだけで各センサのセンシングデータを収集することができるとともに、各センサを親機に収納状態で、一括して時刻合せを行うことができ、利便性（操作性）を向上することができる。
【発明の効果】
【００１７】
本発明の睡眠時無呼吸検査用センサでは、以上のように、睡眠時無呼吸症候群の診断のために複数台が同時に使用されるセンサにおいて、各センサは、センシング部に、そのセンシングデータを格納する記憶部を備え、物理的配線を伴わずに独立に動作することが可能なセンサから構成される。そして、診断にあたって必要になる各センサのセンシングデータ間の同期は、制御部が、時計部の刻時動作に応答し、予め定める周期でセンシング部にセンシングを行わせて、最初のセンシングデータを時計部の時刻データに対応付けて記憶部に格納し、その後のセンシング部のセンシングデータを記憶部に格納してゆくようにし、そして、その時計部の時刻を、制御部が、外部入出力端から入出力される同期信号に応答して合せることで確保する。
【００１８】
それゆえ、装着性の良好な物理的配線を伴わずに独立に動作することが可能なセンサを用い、各センサのセンシングデータ間の同期を確保して、正確な診断を行うことができる。
【００１９】
さらにまた、本発明の睡眠時無呼吸検査装置は、以上のように、前記の睡眠時無呼吸検査用センサに、一式の該睡眠時無呼吸検査用センサを収納することができる収納部を有し、収納状態で前記各センサのセンシングデータを収集するとともに、前記同期信号を出力する親機を備えて成る。
【００２０】
それゆえ、パーソナルコンピュータなどのセンシングデータを解析する手段を親機に接続するだけで各センサのセンシングデータを収集することができるとともに、各センサを親機に収納状態で、一括して時刻合せを行うことができ、利便性（操作性）を向上することができる。
【発明を実施するための最良の形態】
【００２１】
図１は、本発明の実施の一形態に係る睡眠時無呼吸検査装置１の概略的構成を示すブロック図である。睡眠時無呼吸検査装置１は、同時に使用される複数のセンサＳ１〜Ｓ６に、記録装置Ｓ１０および親機Ｓ０を備えて構成される。親機Ｓ０には、医療機関において、パーソナルコンピュータなどの集計装置Ｐが接続され、後述するようにしてこの集計装置Ｐに集計されたデータから、医師がＳＡＳの症状を診断する。
【００２２】
図１の例では、センサは、鼻呼吸量を計測する温度センサＳ１、口呼吸量を計測する温度センサＳ２、いびき音を計測する小型音響センサＳ３、血中酸素濃度を計測する光センサＳ４、胸部運動を計測する加速度センサＳ５および腹部運動を計測する加速度センサＳ６の６つのセンサを示しているけれども、それらの少なくとも２つ以上が組合わせて用いられる。センサＳ１〜Ｓ３は、センシング部分だけで構成されており、電池およびデータの記憶部を内蔵している記録装置Ｓ１０に接続されて、特許請求の範囲におけるセンサが構成されており、これらのセンサＳ１〜Ｓ３および記録装置Ｓ１０へは、外部からの物理的配線が無く、単独で使用可能である。これに対して、センサＳ４〜Ｓ６は、それぞれが電池およびデータの記憶部を内蔵しており、それらへは物理的配線が無く、単独で使用可能である。
【００２３】
図２は、鼻呼吸量を計測する温度センサＳ１、口呼吸量を計測する温度センサＳ２およびいびき音を計測する小型音響センサＳ３の装着状況を模式的に示す図である。鼻呼吸量を計測する温度センサＳ１および口呼吸量を計測する温度センサＳ２は、患者１０の鼻の下の部分１２に貼付けられ、呼気の通過による温度変化から呼吸量を計測する。それらの温度センサＳ１，Ｓ２は、共通の配線Ｌ１を介して前記記録装置Ｓ１０に接続される。前記いびき音を計測する小型音響センサＳ３は、小型のマイクロフォンから成り、患者１０の喉の部分１３に貼付けられ、配線Ｌ３を介して前記記録装置Ｓ１０に接続される。
【００２４】
そして、前記記録装置Ｓ１０は、図２（ａ）で示すように患者１０の耳部１１に装着されたり、図２（ｂ）で示すように衣服２１のポケット２２に収納されたり、図示しないが衣服の肩部分に貼付けられたりする。
【００２５】
これらのセンサＳ１〜Ｓ３は、患者１０の顔面近くに装着されるので、長い配線が無いことで良好な装着感を得ることができる。ここで、配線Ｌ１，Ｌ３が存在するが、特に温度センサＳ１，Ｓ２は、患者１０の呼気に晒されるので、センシング部分を一体化して貼付けるようにし、呼吸の邪魔になったり、大型化して湿気で剥がれたりすることがないようになっており、短距離の配線Ｌ１が存在しても、温度センサＳ１，Ｓ２側に記憶部を設けるより有利である。これに合わせて、前記温度センサＳ１，Ｓ２とは、比較的近距離に配置される小型音響センサＳ３も、音響を採取するためにサンプリング周波数およびビット数が大きく、電池および記憶部を前記マイクロフォンに一体化すると大型化するので、短距離の配線Ｌ３を介して前記記録装置Ｓ１０に接続され、該記録装置Ｓ１０が共用化されている。こうして、センサＳ１〜Ｓ３は、有線で記録装置Ｓ１０に接続されるが、睡眠中の体動の影響を受けにくいように、それらの間は、距離が近くなるような単位でまとめられている。
【００２６】
一方、図３は、血中酸素濃度を計測する光センサＳ４の装着状況を模式的に示す図である。この光センサＳ４は、図３（ａ）で示すように患者１０の人差し指１４の先端部に装着され、その先端部中に赤色および赤外光を透過させ、流れる血液のヘモグロビンと酸化ヘモグロビンとの吸光度の差から、血中酸素濃度を計測する。このように動きの激しい手に装着される光センサＳ４の配線を無くすことは効果的である。
【００２７】
なお、上述のように光センサＳ４は、患者１０の指先に装着するものであり、就寝中は外れ易く、したがって図３（ｂ）で示すように、この光センサＳ４もセンシング部分のみとし、別途患者１０の手首２３などに装着される記録装置Ｓ４０を設けて、それらの間を配線Ｌ４で接続するようにしてもよい。
【００２８】
また、図４は、胸部運動を計測する加速度センサＳ５および腹部運動を計測する加速度センサＳ６の装着状況を模式的に示す図である。胸部運動を計測する加速度センサＳ５は、患者１０のみぞおち１５付近に貼付けられ、腹部運動を計測する加速度センサＳ６は、臍１６付近に貼付けられる。これらの加速度センサＳ５，Ｓ６の配線を無くすことで、姿勢の変化に対しても身体から剥がれ難くなり、効果的である。
【００２９】
前記記録装置Ｓ１０および各センサＳ１〜Ｓ６は、図５で示すように、親機Ｓ０の収納部Ｓ０ａに収納され、収納状態で操作パネルＳ０ｂからの操作によって、該操作パネルＳ０ｂ側に前記各センサＳ１〜Ｓ６のセンシングデータが収集され、該操作パネルＳ０ｂからの操作によって、或いは集計装置Ｐからの操作によって、収集されたセンシングデータが操作パネルＳ０ｂから集計装置Ｐに一括転送される。
【００３０】
上述のように構成される睡眠時無呼吸検査装置１において、前記各センサＳ１〜Ｓ６および記録装置Ｓ１０は、使用前には親機Ｓ０に収納され、操作パネルＳ０ｂに接続される。親機Ｓ０は、集計装置Ｐに接続されており、ユーザからの操作は、該集計装置Ｐ上のソフトを通じて行われる。
【００３１】
ユーザ操作に応答して、集計装置Ｐから時刻セットコマンドが親機Ｓ０に送信されると、マイクロコンピュータなどから成る親機Ｓ０は、その時刻セットコマンドを通信ポートで受信し、パラレルポートに接続されている子機となる記録装置Ｓ１０および各センサＳ４〜Ｓ６に、同時刻をセットする。ここでのパラレルポートは、いわゆるプリンタポートである必要はなく、複数の同時制御可能もしくは時間管理可能な汎用データポートでもよい。
【００３２】
セットされる時刻は、絶対的に正確な時刻である必要はなく、絶対的に正確な時刻からずれがあっても、記録装置Ｓ１０および各センサＳ４〜Ｓ６に同じ時刻がセットされればよい。また、時刻データでなくとも、単なるトリガを与えるだけでもよく、そのトリガに合わせて、各子機が時刻原点を定めればよい。
【００３３】
そのような時刻セットの具体的方法としては、集計装置Ｐからの時刻セットのコマンドに応答して、親機Ｓ０に接続されているすべての記録装置Ｓ１０およびセンサＳ４〜Ｓ６に一斉に同時刻０をセットするようにしてもよい（前記トリガによる）。或いは前記記録装置Ｓ１０や各センサＳ４〜Ｓ６が接続されるたびに、親機Ｓ０が管理している現在時刻をセットするようにしてもよく、この場合、すべての記録装置Ｓ１０およびセンサＳ４〜Ｓ６が同時に接続されている必要はない。たとえば、ある時点では、記録装置Ｓ１０のみが接続されていて親機Ｓ０は、時刻Ａを記録装置Ｓ１０にセットする。その後の別の時点では、光センサＳ４が接続されていて、親機Ｓ０は、時刻Ｂを該光センサＳ４にセットするというものである。親機Ｓ０が時刻を管理しているので、時刻Ａと時刻Ｂという異なる時刻を記録装置Ｓ１０およびセンサＳ４にそれぞれセットしたとしても、センサＳ１〜Ｓ３と光センサＳ４との時刻の差は、親機Ｓ０から管理可能である。センサの数が増えても同様にセットすることができる。
【００３４】
こうして、一旦時計合わせが行われた記録装置Ｓ１０およびセンサＳ４〜Ｓ６は、それぞれが持つ時間管理のクロックによって時刻管理を行う。したがって、それぞれの記録装置Ｓ１０およびセンサＳ４〜Ｓ６を、物理的配線や無線通信などの通信手段を用いずに使用しても、記録装置Ｓ１０およびセンサＳ４〜Ｓ６間の同期は、それぞれのクロックのばらつきの範囲内で確保される。
【００３５】
したがって、電池容量を大きくしてクロックを速くする程、前記クロックばらつきが小さくなり、時刻のずれも少なくなって前記時刻セットの頻度を少なくすることができるけれども、前記電池容量の関係で、必要最小限のクロック周波数とし、使用毎に時刻セットを行うことが望ましい。
【００３６】
使用時には、記録装置Ｓ１０およびセンサＳ４〜Ｓ６では、センシングデータの記憶部への格納にあたって、最初のセンシングデータが時計部からの時刻データと合わせて格納され、その後のセンシングデータは、記憶部に格納してゆく。
【００３７】
ここで、各センサＳ１〜Ｓ６のデータサンプリング周波数は、相互に等しくなくてもよい。サンプリング周期は、不変であるので、最初のデータの時刻が分っていれば、その後のデータの時刻もサンプリング周波数に応じて決定される。たとえば、いびき音を計測する小型音響センサＳ３のサンプリング周波数は、１ｋＨｚ、加速度センサＳ５，Ｓ６のサンプリング周波数は５０Ｈｚとすると、いびき音センサのデータ２０個に対して加速度センサのデータ１個が対応している。
【００３８】
使用後は、各センサＳ１〜Ｓ６および記録装置Ｓ１０は、親機Ｓ０に収納され、集計装置Ｐから、子機である記録装置Ｓ１０およびセンサＳ４〜Ｓ６を順に指定してデータ転送のコマンドを送信することで、親機Ｓ０は記録装置Ｓ１０およびセンサＳ４〜Ｓ６にそのデータ転送のコマンドを転送し、これに応答して記録装置Ｓ１０およびセンサＳ４〜Ｓ６は、保持しているセンシングデータを時刻データとともに親機Ｓ０に送信し、集計装置Ｐに転送される。
【００３９】
このように構成することで、装着性の良好な物理的配線を伴わずに独立に動作することが可能なセンサＳ１〜Ｓ６を用い、各センサＳ１〜Ｓ６のセンシングデータ間の同期を確保して、正確な診断を行うことができる。また、パソコンから成る集計装置Ｐをマスターにすることによって、子機（記録装置Ｓ１０およびセンサＳ４〜Ｓ６）および親機Ｓ０がもつメモリなどの記憶装置としてのリソースは、必要最低限でよく、機器製作に要する部品代を低減させることが可能である。
【００４０】
上述の説明では、時刻管理を親機Ｓ０で行った場合を述べたが、集計装置Ｐのソフトウェアで管理しても全く同様である。また、いずれかのセンサを時間管理のマスタとし、その他のセンサをスレーブとして、マスタが管理する時刻をスレーブのセンサに送信することにより同期をとってもよい。
【００４１】
図６および図７は、以上のような構成によって実現した睡眠時無呼吸検査装置１を用いた本件発明者の実験結果を示すグラフである。図６と図７とは、同一の被験者に対してそれぞれ別の日に計測したデータ例である。図示したデータの計測時間帯は、夜の午前２時５９分〜午前３時の１分間である。各グラフ間にまたがる垂直線は、計測データの同期性を調べる分析のために挿入した補助線である。
【００４２】
図６に示される腹部運動では、縦軸の上方は、腹部が膨らむ方向、すなわち吸気の程度を示しており、縦軸の下方は、腹部が萎む方向、すなわち吐気の程度を示している。垂直方向の補助線は、腹部運動を基準にした吸気のピーク値に挿入している。なお、腹部および胸部運動の計測に用いている加速度センサＳ５，Ｓ６は、ｘ，ｙ，ｚの３軸の加速度成分が計測可能で、身体への装着方向は、頭部から足方向をｘ、右から左方向をｙ、背から腹方向をｚとしている。
【００４３】
補助線からの時間推移を見ると、腹部運動が吸気のピーク値を示した直後にいびき音が発生していることが理解される。口呼吸および鼻呼吸のグラフは、縦軸の上方は吐気（による温度上昇）の程度を、下方は、吸気（による温度低下）の程度を示している。補助線で示されているように、腹部運動の吸気のタイミングにほぼ同期して、鼻呼吸の吸気が行われていることが理解される。また鼻呼吸と比較して、口呼吸の程度は小さいものの、いびきとほぼ同期していることも認識できる。これらのデータから、吸気後にいびきが発生してはいるものの、換気としての呼吸は正常に行われていることが見てとれる。
【００４４】
また、図７では、鼻呼吸の吸気のピークに少し遅れて、口呼吸の吸気ピークが現れていることが理解される。このことから、口呼吸もある程度行われており、口腔内や喉頭部が乾燥する傾向にあると推測される。また図７の胸部運動のデータは、横向きに姿勢が変わったときのデータであり、図６で示している腹部運動とはかなり異なった波形を示している。図７の胸部運動で示されるｘ，ｙ，ｚの各成分は、変化の方向は各々異なっているものの、呼吸に応じた周期的な変化をしていることが認識される。
【００４５】
以上に述べたように、実際の無呼吸診断においても各センサＳ１〜Ｓ６から得られるデータを総合的に分析して、１０秒以上の無呼吸の発生頻度を計算するので、各データの時間的相関関係は、非常に重要であるとともに、患者へのセンサＳ１〜Ｓ６や記録装置１０の装着負担を軽減して睡眠を妨げないようにし、正確なデータが得られるような機器構成にすることが重要であり、本発明は、効果的であると言える。
【図面の簡単な説明】
【００４６】
【図１】本発明の実施の一形態に係る睡眠時無呼吸検査装置の概略的構成を示すブロック図である。
【図２】鼻呼吸量を計測する温度センサ、口呼吸量を計測する温度センサおよびいびき音を計測する小型音響センサの装着状況を模式的に示す図である。
【図３】血中酸素濃度を計測する光センサの装着状況を模式的に示す図である。
【図４】胸部運動を計測する加速度センサおよび腹部運動を計測する加速度センサの装着状況を模式的に示す図である。
【図５】記録装置および各センサを収納して成る親機を示す斜視図である。
【図６】本件発明者の実験結果を示すグラフである。
【図７】本件発明者の実験結果を示すグラフである。
【符号の説明】
【００４７】
１    睡眠時無呼吸検査装置
１０    患者
１１    耳部
１２    鼻の下の部分
１３    喉の部分
１４    人差し指
１５    みぞおち
１６    臍
２１    衣服
２２    ポケット
２３    手首
Ｌ１    共通の配線
Ｌ３，Ｌ４    配線
Ｐ    集計装置
Ｓ０    親機
Ｓ０ａ  収納部
Ｓ０ｂ  操作パネル
Ｓ１    鼻呼吸量を計測する温度センサ
Ｓ２    口呼吸量を計測する温度センサ
Ｓ３    いびき音を計測する小型音響センサ
Ｓ４    血中酸素濃度を計測する光センサ
Ｓ５    胸部運動を計測する加速度センサ
Ｓ６    腹部運動を計測する加速度センサ
Ｓ１０，Ｓ４０  記録装置
【図１】
2006320731.tif 000003
【図２】
2006320731.tif 000004
【図３】
2006320731.tif 000005
【図４】
2006320731.tif 000006
【図５】
2006320731.tif 000007
【図６】
2006320731.tif 000008
【図７】
2006320731.tif 000009